(57)【特許請求の範囲】
【請求項１】
入力されたフレームのフレーム周波数を２倍増加させて、奇数番目のフレームと偶数番目のフレームとを生成するフレーム変換器；
前記奇数番目のフレームと偶数番目のフレームとの階調レベルの決定に用いられるガンマ基準電圧のスイングを制御するガンマスイング制御信号を発生するタイミングコントローラ；及び
高階調に属する互いに異なるレベルの第１ガンマ基準電圧と、低階調に属する互いに異なるレベルの第２ガンマ基準電圧とを発生するガンマ基準電圧発生部を備え、
前記ガンマ基準電圧発生部は、前記ガンマスイング制御信号に応じて前記奇数番目のフレームの駆動期間の間に、前記高階調の第１ガンマ基準電圧と前記低階調の第２ガンマ基準電圧とを反対にスイングさせて、前記偶数番目のフレームの駆動期間の間に、前記高階調の第１ガンマ基準電圧と前記低階調の第２ガンマ基準電圧とを反対にスイングさせて、前記奇数番目のフレームと偶数番目のフレームとの駆動期間に、前記高階調の第１ガンマ基準電圧を反対にスイングさせて、前記低階調の第２ガンマ基準電圧を反対にスイングさせて、
前記ガンマ基準電圧発生部は、最も高いレベルのガンマ基準電圧、最も低いレベルのガンマ基準電圧及び中間階調レベルのガンマ基準電圧をスイングさせないで、
前記最も高いレベルのガンマ基準電圧と前記中間階調レベルのガンマ基準電圧との間のレベルを有するガンマ基準電圧は高階調レベルに、前記最も低いレベルのガンマ基準電圧と前記中間階調レベルのガンマ基準電圧との間のレベルを有するガンマ基準電圧は低階調レベルにそれぞれ該当し、
前記ガンマ基準電圧発生部は、タイミングコントローラからのガンマスイング制御信号のレベルによってスイッチング方向が調節される第１スイッチと、前記タイミングコントローラから供給された前記ガンマスイング制御信号を反転させるインバータと、前記インバータによって反転されたガンマスイング制御信号のレベルによってスイッチング方向が調節される第２スイッチを含み、
前記第１及び第２ガンマ基準電圧は、電圧であり、該電圧によって高電位電源電圧と接地電圧は複数の抵抗によって降下しそして分割され、前記ガンマ基準電圧のレベルは前記第１及び第２スイッチを介して切替がなされるガンマ基準電圧によってスイングされ、
前記タイミングコントローラは、前記奇数番目のフレームの駆動期間の間、ローレベルのガンマスイング制御信号を前記ガンマ基準電圧発生部に供給した後、前記２倍増加された偶数番目のフレームの駆動期間の間、ハイレベルのガンマスイング制御信号を前記ガンマ基準電圧発生部に供給し、
前記第１ガンマ基準電圧は、奇数番目のフレームの駆動期間の間に、前記第１スイッチを介して選択的に出力されるガンマ基準電圧によってスイングされ、ガンマ基準電圧の異なる低スイングレベルは高階調に対応し、同時に前記第２ガンマ基準電圧は、前記第２スイッチを介して選択的に出力されるガンマ基準電圧によってスイングされ、ガンマ基準電圧の異なる高スイングレベルは低階調に対応し、
前記第１ガンマ基準電圧は、偶数番目のフレームの駆動期間の間に、前記第１スイッチを介して選択的に出力されるガンマ基準電圧によってスイングされ、前記ガンマ基準電圧の異なる高スイングレベルは高階調に対応し、同時に前記第２ガンマ基準電圧は、前記第２スイッチを介して選択的に出力されるガンマ基準電圧によってスイングされ、前記ガンマ基準電圧の異なる低スイングレベルは低階調に対応し、
前記第１ガンマ基準電圧のレベルは、前記第１スイッチを介して切り替えられる二つの異なるレベルのガンマ基準電圧によってスイングされ、そして前記第２ガンマ基準電圧のレベルは、前記第２スイッチを介して切り替えられる二つの異なるレベルのガンマ基準電圧によってスイングされ、
前記第１スイッチを介して切り替えられる前記二つの異なるレベルのガンマ基準電圧は第１抵抗のひとつによって降下しそして分割され、前記第２スイッチを介して切り替えられる前記二つの異なるレベルのガンマ基準電圧は第２抵抗のひとつによって降下しそして分割され、
ノーマリブラックモードにおいて、高階調ではガンマ基準電圧のレベルが増加するに従って実現される階調レベルはより高くなる一方、低階調ではガンマ基準電圧のレベルが低下するに従って実現される階調レベルはより低くなることを特徴とする液晶表示装置。
【請求項２】
入力されたフレームのフレーム周波数を２倍増加させて、奇数番目のフレームと偶数番目のフレームとを生成する段階；
前記奇数番目のフレームと偶数番目のフレームとの階調レベルの決定に用いられるガンマ基準電圧のスイングを制御するガンマスイング制御信号を発生する段階；及び
高階調に属する互いに異なるレベルの第１ガンマ基準電圧と、低階調に属する互いに異なるレベルの第２ガンマ基準電圧とを発生する段階を備え、
前記ガンマ基準電圧発生段階において、前記ガンマスイング制御信号に応じて前記奇数番目のフレームの駆動期間の間に、前記高階調の第１ガンマ基準電圧と前記低階調の第２ガンマ基準電圧とを反対にスイングさせると共に、前記偶数番目のフレームの駆動期間の間に、前記高階調の第１ガンマ基準電圧と前記低階調の第２ガンマ基準電圧とを反対にスイングさせて、前記奇数番目のフレームと偶数番目のフレームとの駆動期間に、前記高階調の第１ガンマ基準電圧を反対にスイングさせて、前記低階調の第２ガンマ基準電圧を反対にスイングさせて、
前記ガンマ基準電圧発生段階において、最も高いレベルのガンマ基準電圧、最も低いレベルのガンマ基準電圧及び中間階調レベルのガンマ基準電圧をスイングさせないで、
前記最も高いレベルのガンマ基準電圧と前記中間階調レベルのガンマ基準電圧との間のレベルを有するガンマ基準電圧は高階調レベルに、前記最も低いレベルのガンマ基準電圧と前記中間階調レベルのガンマ基準電圧との間のレベルを有するガンマ基準電圧は低階調レベルにそれぞれ該当し、
前記ガンマ基準電圧発生段階において、第１スイッチを用いて、前記タイミングコントローラからの前記ガンマスイング制御信号のレベルに応じてスイッチング方向が調節され、インバータを用いて、前記タイミングコントローラからの前記ガンマスイング制御信号を反転させ、第２スイッチを用いて、前記インバータによって反転されたガンマスイング制御信号のレベルに応じてスイッチング方向が調節され、
前記第１及び第２ガンマ基準電圧は、電圧であり、該電圧によって高電位電源電圧と接地電圧は複数の抵抗によって降下しそして分割され、前記ガンマ基準電圧のレベルは前記第１及び第２スイッチを介して切替がなされるガンマ基準電圧によってスイングされ、
前記ガンマスイング制御信号発生段階は、奇数番目のフレームの駆動期間の間低レベルであるガンマスイング制御信号を発生させ、その後、偶数番目のフレームの駆動期間の間高レベルであるガンマスイング制御信号を発生させ、
前記第１ガンマ基準電圧は、奇数番目のフレームの駆動期間の間に、前記第１スイッチを介して選択的に出力されるガンマ基準電圧によってスイングされ、ガンマ基準電圧の異なる低スイングレベルは高階調に対応し、同時に前記第２ガンマ基準電圧は、前記第２スイッチを介して選択的に出力されるガンマ基準電圧によってスイングされ、ガンマ基準電圧の異なる高スイングレベルは低階調に対応し、
前記第１ガンマ基準電圧は、偶数番目のフレームの駆動期間の間に、前記第１スイッチを介して選択的に出力されるガンマ基準電圧によってスイングされ、前記ガンマ基準電圧の異なる高スイングレベルは高階調に対応し、同時に前記第２ガンマ基準電圧は、前記第２スイッチを介して選択的に出力されるガンマ基準電圧によってスイングされ、前記ガンマ基準電圧の異なる低スイングレベルは低階調に対応し、
前記第１ガンマ基準電圧のレベルは、前記第１スイッチを介して切り替えられる二つの異なるレベルのガンマ基準電圧によってスイングされ、そして前記第２ガンマ基準電圧のレベルは、前記第２スイッチを介して切り替えられる二つの異なるレベルのガンマ基準電圧によってスイングされ、
前記第１スイッチを介して切り替えられる前記二つの異なるレベルのガンマ基準電圧は第１抵抗のひとつによって降下しそして分割され、前記第２スイッチを介して切り替えられる前記二つの異なるレベルのガンマ基準電圧は第２抵抗のひとつによって降下しそして分割され、
ノーマリブラックモードにおいて、高階調ではガンマ基準電圧のレベルが増加するに従って実現される階調レベルはより高くなる一方、低階調ではガンマ基準電圧のレベルが低下するに従って実現される階調レベルはより低くなることを特徴とする液晶表示装置の駆動方法。
【発明の詳細な説明】
【技術分野】
【０００１】
本発明は、液晶表示装置に関し、特に、２倍増加されたフレーム周波数に駆動されるフレームの階調レベルの決定に用いられるガンマ基準電圧のスイングを自動にリアルタイムで調節することができる液晶表示装置及びその駆動方法に関する。
【背景技術】
【０００２】
液晶表示装置は、ビデオ信号に応じ、液晶セルの光透過率を調節して画像を示し、そして液晶セル毎にスイッチング素子が形成されたアクティブマトリクス（Ａｃｔｉｖｅ  Ｍａｔｒｉｘ）型の液晶表示装置は、スイッチング素子の能動的な制御が可能であるため、動画像の具現に有利である。このようなアクティブマトリクス型の液晶表示装置に用いられるスイッチング素子としては、図１のように主に薄膜トランジスタ(ＴＦＴ：Ｔｈｉｎ  Ｆｉｌｍ  Ｔｒａｎｓｉｓｔｏｒ)が用いられている。
【０００３】
図１を参照すると、アクティブマトリクス型の液晶表示装置は、デジタル入力データを、ガンマ基準電圧を基準としてアナログデータ電圧に変換し、データラインＤＬに供給すると共に、スキャンパルスをゲートラインＧＬに供給し、液晶セルＣｌｃを充電させる。
【０００４】
ＴＦＴは、ゲートラインＧＬに接続されたゲート電極、データラインＤＬに接続されたソース電極、そして液晶セルＣｌｃの画素電極とストレージキャパシタＣｓｔの一側電極に接続されたドレイン電極を有する。
【０００５】
液晶セルＣｌｃの共通電極には共通電圧Ｖｃｏｍが供給される。
【０００６】
ＴＦＴがターンオンされる場合、ストレージキャパシタＣｓｔはデータラインＤＬから印加されるデータ電圧を充電して、液晶セルＣｌｃの電圧を一定に保持させる。
【０００７】
スキャンパルスがゲートラインＧＬに印加されると、ＴＦＴはターンオン
（Ｔｕｒｎ  Ｏｎ）され、ソース電極とドレイン電極の間にチャネルを形成し、データラインＤＬ上の電圧を液晶セルＣｌｃの画素電極に供給する。この際、液晶セルＣｌｃの液晶分子は、画素電極と共通電極の間の電界によって配列が変わることにより、入射光を変調する。
【０００８】
このような構造を有するピクセルを備える従来の液晶表示装置の構成について図２を参照しながら説明する。
【０００９】
図２は、従来の液晶表示装置の構成を示す構成図である。
【００１０】
図２に示すように、従来の液晶表示装置１００は、液晶表示パネル１１０、データ駆動部１２０、ゲート駆動部１３０、ガンマ基準電圧発生部１４０、バックライトアセンブリ１５０、インバータ１６０、共通電圧発生部１７０、ゲート駆動電圧発生部１８０、そしてタイミングコントローラ１９０を備える。ここで、データ駆動部１２０は液晶表示パネル１１０のデータラインＤＬ１〜ＤＬｍにデータを供給する。ゲート駆動部１３０は液晶表示パネル１１０のゲートラインＧＬ１〜ＧＬｎにスキャンパルスを供給する。ガンマ基準電圧発生部１４０はガンマ基準電圧を発生してデータ駆動部１２０に供給する。バックライトアセンブリ１５０は液晶表示パネル１１０に光を照射する。インバータ１６０はバックライトアセンブリ１５０に交流電圧及び電流を印加する。共通電圧発生部１７０は共通電圧Ｖｃｏｍを発生して液晶表示パネル１１０の液晶セルＣｌｃの共通電極に供給する。ゲート駆動電圧発生部１８０はゲートハイ電圧ＶＧＨとゲートロー電圧ＶＧＬを発生してゲート駆動部１３０に供給する。タイミングコントローラ１９０はデータ駆動部１２０及びゲート駆動部１３０を制御する。
【００１１】
液晶表示パネル１１０は、２枚のガラス基板の間に液晶が注入される。液晶表示パネル１１０の下部ガラス基板上には、データラインＤＬ１〜ＤＬｍとゲートラインＧＬ１〜ＧＬｎが互いに直角に交差する。データラインＤＬ１〜ＤＬｍとゲートラインＧＬ１〜ＧＬｎの交差部にはＴＦＴが形成される。ＴＦＴは、スキャンパルスに応じて、データラインＤＬ１〜ＤＬｍ上のデータを液晶セルＣｌｃに供給する。ＴＦＴのゲート電極はゲートラインＧＬ１〜ＧＬｎに接続され、ＴＦＴのソース電極はデータラインＤＬ１〜ＤＬｍに接続される。そして、ＴＦＴのドレイン電極は、液晶セルＣｌｃの画素電極とストレージキャパシタＣｓｔに接続される。
【００１２】
ＴＦＴは、ゲートラインＧＬ１〜ＧＬｎを経由してゲート端子に供給されるスキャンパルスに応じてターンオンされる。ＴＦＴのターンオンの際、データラインＤＬ１〜ＤＬｍ上のビデオデータは液晶セルＣｌｃの画素電極に供給される。
【００１３】
データ駆動部１２０は、タイミングコントローラ１９０から供給されるデータ駆動制御信号ＤＤＣに応じてデータをデータラインＤＬ１〜ＤＬｍに供給する。そして、データ駆動部１２０は、タイミングコントローラ１９０から供給されるデジタルビデオデータＲＧＢをサンプリングしてラッチした後、ガンマ基準電圧発生部１４０から供給されるガンマ基準電圧を基準として、液晶表示パネル１１０の液晶セルＣｌｃで階調を表現することのできるアナログデータ電圧に変換してデータラインＤＬ１〜ＤＬｍに供給する。
【００１４】
ゲート駆動部１３０は、タイミングコントローラ１９０から供給されるゲート駆動制御信号ＧＤＣと、ゲートシフトクロックＧＳＣに応じてスキャンパルスを順次発生し、ゲートラインＧＬ１〜ＧＬｎに供給する。この際、ゲート駆動部１３０は、ゲート駆動電圧発生部１８０から供給されるゲートハイ電圧ＶＧＨとゲートロー電圧ＶＧＬにより、それぞれスキャンパルスのハイレベル電圧とローレベル電圧を決定する。
【００１５】
ガンマ基準電圧発生部１４０は、高電位電源電圧ＶＤＤの供給を受け、正極性ガンマ基準電圧と負極性ガンマ基準電圧を発生してデータ駆動部１２０に出力する。
【００１６】
バックライトアセンブリ１５０は、液晶表示パネル１１０の後面に配置される。このようなバックライトアセンブリ１５０は、インバータ１６０から供給される交流電圧と電流により発光し、光を液晶表示パネル１１０の各ピクセルに照射する。
【００１７】
インバータ１６０は、内部で発生された方形波信号を三角波信号に変換した後、三角波信号と前記システムから供給される直流電源電圧ＶＣＣとを比較し、比較結果に比例するバースト調光（Ｂｕｒｓｔ  Ｄｉｍｍｉｎｇ）信号を発生する。このようにバースト調光信号が発生されると、インバータ１６０内の駆動ＩＣ（図示せず）は、バースト調光信号に応じてバックライトアセンブリ１５０に供給される交流電圧と電流の発生を制御する。
【００１８】
共通電圧発生部１７０は、高電位電源電圧ＶＤＤの供給を受け、共通電圧Ｖｃｏｍを発生して、液晶表示パネル１１０の各ピクセルに設けられた液晶セルＣｌｃの共通電極に供給する。
【００１９】
ゲート駆動電圧発生部１８０は、高電位電源電圧ＶＤＤの印加を受け、ゲートハイ電圧ＶＧＨとゲートロー電圧ＶＧＬを発生させてゲート駆動部１３０に供給する。ここで、ゲート駆動電圧発生部１８０は、液晶表示パネル１１０の各ピクセルに設けられたＴＦＴの臨界電圧以上のゲートハイ電圧ＶＧＨを発生し、ＴＦＴの臨界電圧未満のゲートロー電圧ＶＧＬを発生する。このように発生されたゲートハイ電圧ＶＧＨとゲートロー電圧ＶＧＬは、ゲート駆動部１３０により発生されるスキャンパルスのハイレベル電圧とローレベル電圧を決定することにそれぞれ用いられる。
【００２０】
タイミングコントローラ１９０は、テレビ受像器やコンピューターモニター等のシステムから供給されるデジタルビデオデータＲＧＢをデータ駆動部１２０に供給する。更に、タイミングコントローラ１９０は、システムからのクロック信号ＣＬＫに応じて、システムからの水平／垂直同期信号Ｈ、Ｖを用いて、データ駆動制御信号ＤＤＣとゲート駆動制御信号ＧＤＣを発生して、それぞれデータ駆動部１２０とゲート駆動部１３０に供給する。ここで、データ駆動制御信号ＤＤＣは、ソースシフトクロックＳＳＣ、ソーススタートパルスＳＳＰ、極性制御信号ＰＯＬ及びソース出力イネーブル信号ＳＯＥ等を含む。そして、ゲート駆動制御信号ＧＤＣはゲートスタートパルスＧＳＰ及びゲート出力イネーブルＧＯＥ等を含む。
【００２１】
このような構成及び機能を有する従来の液晶表示装置１００は、一般的に６０Ｈｚに駆動されているが、近来には動画像むら（Ｍｏｔｉｏｎ  Ｂｌｕｒ）を改善するため、液晶表示装置を１２０Ｈｚに駆動する技術が開発されつつある。
【００２２】
従来の液晶表示装置が１２０Ｈｚに駆動される場合、図３に示すように、ガンマ基準電圧発生部１４０は、互いに異なるレベルを有する複数のガンマ基準電圧ＧＭＡ１〜ＧＭＡ１４を発生してデータ駆動部１２０に供給する。ここで、奇数番目のフレームと偶数番目のフレームに供給される複数のガンマ基準電圧ＧＭＡ１〜 ＧＭＡ１４は、図３に示すようにスイングなく一定なレベルを保持する。
【００２３】
このようにガンマ基準電圧ＧＭＡ１〜ＧＭＡ１４のレベルが一定に保持されることによって、このガンマ基準電圧ＧＭＡ１〜ＧＭＡ１４のレベルに比例して階調が具現される奇数番目のフレームと偶数番目のフレームは、図４に示すような階調変換特性を有する。
【００２４】
図４は、２倍増加されたフレーム周波数に駆動される従来の液晶表示装置の階調変換特性図である。但し、図４は、データ電圧が液晶表示パネル１１０に印加されないノーマリ（Ｎｏｒｍａｌｌｙ）状態でブラック（Ｂｌａｃｋ）画面を示すノーマリブラックモードでの階調変換特性を示すと共に、データ電圧が液晶表示パネル１１０に印加されないノーマリ（Ｎｏｒｍａｌｌｙ）状態でホワイト（Ｗｈｉｔｅ）画面を示すノーマリホワイトモードでの階調変換特性を示す図面である。
【００２５】
図４を参照すると、高階調に属するガンマ基準電圧ＧＭＡ１〜ＧＭＡ７と低階調に属するガンマ基準電圧ＧＭＡ８〜ＧＭＡ１４とのレベルが対称となるように変化され、これに比例して具現される階調が奇数番目のフレームと偶数番目のフレームで中間階調を基準として対称となるように変化される。
【００２６】
このように、従来の液晶表示装置は、フレームを２倍増加させて駆動することにおいて、ガンマ基準電圧ＧＭＡ１〜ＧＭＡ１４をスイングせずに、単にフレーム周波数のみを２倍増加させることによって、ハイ階調（Ｈｉｇｈ  Ｇｒａｙ）とロー階調（Ｌｏｗ Ｇｒａｙ）との交互の具現によりフリッカー（Ｆｌｉｃｋｅｒ）が発生されるという問題を有する。
【発明の開示】
【発明が解決しようとする課題】
【００２７】
本発明は、前記のような問題を解決するために案出されたものであり、本発明の目的は、２倍増加されたフレーム周波数に駆動されるフレームの階調レベルの決定に用いられるガンマ基準電圧のスイングを自動にリアルタイムで調節することができる液晶表示装置及びその駆動方法を提供することにある。
【００２８】
本発明の目的は、２倍増加されたフレーム周波数に駆動されるフレームの階調レベルの決定に用いられるガンマ基準電圧のスイングを自動にリアルタイムで調節することによって、フレーム周波数の２倍増加駆動の際に動画像応答速度（ＭＰＲＴ：Ｍｏｔｉｏｎ  Ｐｉｃｔｕｒｅ  Ｒｅｓｐｏｎｓｅ  Ｔｉｍｅ）を増大させることができる液晶表示装置及びその駆動方法を提供することにある。
【００２９】
本発明の目的は、フレーム周波数の２倍増加駆動の際に動画像応答速度を増大させることによって、フレーム周波数の２倍増加駆動によって発生されるフリッカーを除去することができる液晶表示装置の駆動装置及び方法を提供することにある。
【課題を解決するための手段】
【００３０】
このような目的を達成するため、本発明の実施の形態に係る液晶表示装置は、入力されたフレームのフレーム周波数を２倍増加させて、奇数番目のフレームと偶数番目のフレームとを生成するフレーム変換器；前記奇数番目のフレームと偶数番目のフレームとの階調レベルの決定に用いられるガンマ基準電圧のスイングを制御するガンマスイング制御信号を発生するタイミングコントローラ；及び高階調に属する互いに異なるレベルの第１ガンマ基準電圧と、低階調に属する互いに異なるレベルの第２ガンマ基準電圧とを発生するガンマ基準電圧発生部を備え、前記ガンマ基準電圧発生部は、前記ガンマスイング制御信号に応じて前記奇数番目のフレームの駆動期間の間に、前記高階調の第１ガンマ基準電圧と前記低階調の第２ガンマ基準電圧とを反対にスイングさせて、前記偶数番目のフレームの駆動期間の間に、前記高階調の第１ガンマ基準電圧と前記低階調の第２ガンマ基準電圧とを反対にスイングさせて、前記奇数番目のフレームと偶数番目のフレームとの駆動期間に、前記高階調の第１ガンマ基準電圧は反対にスイングされて、前記低階調の第２ガンマ基準電圧が反対にスイングされることを特徴とする。
【００３１】
本発明の実施の形態に係る液晶表示装置の駆動方法は、入力されたフレームのフレーム周波数を２倍増加させて、奇数番目のフレームと偶数番目のフレームとを生成する段階；前記奇数番目のフレームと偶数番目のフレームとの階調レベルの決定に用いられるガンマ基準電圧のスイングを制御するガンマスイング制御信号を発生する段階；及び高階調に属する互いに異なるレベルの第１ガンマ基準電圧と、低階調に属する互いに異なるレベルの第２ガンマ基準電圧とを発生する段階を備え、前記ガンマ基準電圧発生段階において、前記ガンマスイング制御信号に応じて前記奇数番目のフレームの駆動期間の間に、前記高階調の第１ガンマ基準電圧と前記低階調の第２ガンマ基準電圧とを反対にスイングさせると共に、前記偶数番目のフレームの駆動期間の間に、前記高階調の第１ガンマ基準電圧と前記低階調の第２ガンマ基準電圧とを反対にスイングさせて、前記奇数番目のフレームと偶数番目のフレームとの駆動期間に、前記高階調の第１ガンマ基準電圧は反対にスイングされて、前記低階調の第２ガンマ基準電圧が反対にスイングされることを特徴とする。
【００３２】
本発明の他の実施の形態に係る液晶表示装置は、入力されたフレームのフレーム周波数を２倍増加させて、奇数番目のフレームと偶数番目のフレームとを生成するフレーム変換器；前記奇数番目のフレームと偶数番目のフレームとの階調レベルの決定に用いられるガンマ基準電圧のスイングを制御するガンマスイング制御信号を発生するタイミングコントローラ；及び高階調に属する互いに異なるレベルの第１ガンマ基準電圧と、低階調に属する互いに異なるレベルの第２ガンマ基準電圧とを発生するガンマ基準電圧発生部を備え、前記ガンマ基準電圧発生部は、前記ガンマスイング制御信号に応じて前記奇数番目のフレームの駆動期間の間に、前記高階調の第１ガンマ基準電圧と前記低階調の第２ガンマ基準電圧とを同一にスイングさせて、前記偶数番目のフレームの駆動期間の間に、前記高階調の第１ガンマ基準電圧と前記低階調の第２ガンマ基準電圧とを同一にスイングさせて、前記奇数番目のフレームと偶数番目のフレームとの駆動期間に、前記高階調の第１ガンマ基準電圧は反対にスイングされて、前記低階調の第２ガンマ基準電圧が反対にスイングされることを特徴とする。
【００３３】
本発明の他の実施の形態に係る液晶表示装置の駆動方法は、入力されたフレームのフレーム周波数を２倍増加させて、奇数番目のフレームと偶数番目のフレームとを生成する段階；前記奇数番目のフレームと偶数番目のフレームとの階調レベルの決定に用いられるガンマ基準電圧のスイングを制御するガンマスイング制御信号を発生する段階；及び高階調に属する互いに異なるレベルの第１ガンマ基準電圧と、低階調に属する互いに異なるレベルの第２ガンマ基準電圧とを発生する段階を備え、前記ガンマ基準電圧発生段階において、前記ガンマスイング制御信号に応じて前記奇数番目のフレームの駆動期間の間に、前記高階調の第１ガンマ基準電圧と前記低階調の第２ガンマ基準電圧とを同一にスイングさせると共に、前記偶数番目のフレームの駆動期間の間に、前記高階調の第１ガンマ基準電圧と前記低階調の第２ガンマ基準電圧とを同一にスイングさせて、前記奇数番目のフレームと偶数番目のフレームとの駆動期間に、前記高階調の第１ガンマ基準電圧は反対にスイングされて、前記低階調の第２ガンマ基準電圧が反対にスイングされることを特徴とする液晶表示装置の駆動方法。
【発明の効果】
【００３４】
本発明の実施の形態に係る液晶表示装置及びその駆動方法は、２倍増加されたフレーム周波数に駆動されるフレームの階調レベルの決定に用いられるガンマ基準電圧のスイングを自動にリアルタイムで調節することによって、２倍増加されたフレーム周波数に駆動される液晶表示装置の動画像応答速度を増大させ、これによって、フレーム周波数の２倍増加駆動の際に発生されるフリッカーを除去することができる。
【発明を実施するための最良の形態】
【００３５】
以下、添付された図面を参照して、本発明の好ましい実施の形態を詳細に説明する。
【００３６】
図５は、本発明の実施の形態に係る液晶表示装置の構成図である。但し、本発明の液晶表示装置２００は、図２に示す液晶表示装置１００と同様に、バックライトアセンブリ１５０、インバータ１６０、共通電圧発生部１７０及びゲート駆動電圧発生部１８０等を備えるが、この構成要素は説明の便宜のため、図５に示さない。
【００３７】
図５を参照すると、本発明の液晶表示装置２００は、液晶表示パネル１１０、周波数変換器２１０、タイミングコントローラ２２０、ガンマ基準電圧発生部２３０、データ駆動部２４０、そしてゲート駆動部２５０を備える。ここで、周波数変換器２１０は入力フレームのフレーム周波数を２倍増加させて、奇数番目のフレームと偶数番目のフレームを生成する。タイミングコントローラ２２０は、奇数番目のフレームと偶数番目のフレームの駆動タイミングを制御すると共に、奇数番目のフレームと偶数番目のフレームの階調レベルの決定に用いられるガンマ基準電圧のスイングを制御するガンマスイング制御信号ＧＷＳを発生する。ガンマ基準電圧発生部２３０はガンマスイング制御信号ＧＷＳに応じて奇数番目のフレームと偶数番目のフレームの階調レベルの決定に用いられる第１ガンマ基準電圧ＧＭＡ１〜ＧＭＡ５と、第２ガンマ基準電圧ＧＭＡ６〜ＧＭＡ１０をスイングさせて供給する。データ駆動部２４０はタイミングコントローラ２２０からのフレーム駆動制御信号ＦＣＳに応じて周波数変換器２１０によって奇数番目のフレームと偶数番目のフレームを液晶表示パネルに駆動させると共に、第１ガンマ基準電圧ＧＭＡ１〜ＧＭＡ５と第２ガンマ基準電圧ＧＭＡ６〜ＧＭＡ１０のレベルに比例して奇数番目のフレームと偶数番目のフレームの階調を具現させる。ゲート駆動部２５０は、タイミングコントローラ２２０から供給されるゲート駆動制御信号に応じて、スキャンパルスを順次発生してゲートラインＧＬ１〜ＧＬｎに供給する。
【００３８】
周波数変換器２１０は、システムから入力されたフレームのフレーム周波数を２倍増加させて、奇数番目のフレームと偶数番目のフレームを一定時間の内にタイミングコントローラ２２０に順次出力する。ここで、奇数番目のフレームと偶数番目のフレームは同一なフレームである。
【００３９】
このような周波数変換器２１０は、動的データ挿入（ＤＤＩ：Ｄｙｎａｍｉｃ  Ｄａｔａ  Ｉｎｓｅｒｔｉｏｎ）方式にフレーム周波数を２倍増加させる。更に具体的に説明すると、入力された現フレームを一時貯蔵した後、一定時間の内に２回読み出して、同フレームを連続的に出力させる。
【００４０】
本発明は、システムから現フレームが入力されると、周波数変換器２１０が６０Ｈｚの第１フレーム周波数を１２０Ｈｚの第２フレーム周波数に変換させるように具現しているが、これに限定されるのではない。例えば、周波数変換器２１０が５０Ｈｚの第１フレーム周波数を６０Ｈｚの第２フレーム周波数に変換させるように具現することもできる。
【００４１】
タイミングコントローラ２２０は、周波数変換器２１０によって奇数番目のフレームと偶数番目のフレームを一定時間の内にデータ駆動部２４０に順次出力すると共に、フレーム駆動制御信号ＦＣＳをデータ駆動部２４０に供給して、データ駆動部２４０のフレーム駆動タイミングを制御する。更に、タイミングコントローラ２２０は、奇数番目のフレームと偶数番目のフレームの階調レベルの決定に用いられるガンマ基準電圧のスイングを制御するガンマスイング制御信号ＧＷＳを発生してガンマ基準電圧発生部２３０に供給する。
【００４２】
また、タイミングコントローラ２２０は、システムからのクロック信号ＣＬＫに応じて、システムからの水平/垂直同期信号Ｈ、Ｖを用いてデータ駆動制御信号ＤＤＣとゲート駆動制御信号ＧＤＣを発生して、データ駆動部２４０とゲート駆動部２５０にそれぞれ供給する。ここで、データ駆動制御信号ＤＤＣは、ソースシフトクロックＳＳＣ、ソーススタートパルスＳＳＰ、極性制御信号ＰＯＬ及びソース出力イネーブル信号ＳＯＥ等を含む。そして、ゲート駆動制御信号ＧＤＣはゲートスタートパルスＧＳＰ及びゲート出力イネーブルＧＯＥ等を含む。
【００４３】
ガンマ基準電圧発生部２３０は、複数の第１ガンマ基準電圧ＧＭＡ１〜ＧＭＡ５と、複数の第２ガンマ基準電圧ＧＭＡ６〜ＧＭＡ１０を発生してデータ駆動部２４０に供給する。ここで、ガンマ基準電圧発生部２３０は、タイミングコントローラ２２０からのガンマスイング制御信号ＧＷＳに応じて、第１ガンマ基準電圧ＧＭＡ１〜ＧＭＡ５と第２ガンマ基準電圧ＧＭＡ６〜ＧＭＡ１０をスイングして供給する。このようなガンマ基準電圧のスイング方式は、以下に添付された図７と図１０を参照して説明される２つの方式に具現される。
【００４４】
データ駆動部２４０は、タイミングコントローラ２２０からのフレーム駆動制御信号ＦＣＳに応じて奇数番目のフレームと偶数番目のフレームを一定時間の内に液晶表示パネル１１０に順次駆動させる。また、データ駆動部２４０は、タイミングコントローラ２２０からのデータ駆動制御信号ＤＤＣに応じて奇数番目のフレームと偶数番目のフレームのデータをアナログデータ電圧に変換してデータラインＤＬ１〜ＤＬｍに供給する。ここで、変換されたアナログデータ電圧のレベルはガンマ基準電圧発生部２３０から供給された第１ガンマ基準電圧ＧＭＡ１〜ＧＭＡ５と第２ガンマ基準電圧ＧＭＡ６〜ＧＭＡ１０のレベルと一致される。
【００４５】
ゲート駆動部２５０は、タイミングコントローラ２２０から供給されるゲート駆動制御信号ＧＤＣとゲートシフトクロックＧＳＣに応じて、スキャンパルスを順次発生してゲートラインＧＬ１〜ＧＬｎに供給する。特に、ゲート駆動部２５０は、周波数変換器２１０によって奇数番目のフレームが駆動される間、スキャンパルスをゲートラインＧＬ１〜ＧＬｎに順次供給した後、もう一度更に偶数番目のフレームが駆動される間、スキャンパルスをゲートラインＧＬ１〜ＧＬｎに順次供給する。
【００４６】
図６は、図５においての周波数変換器の構成図である。
【００４７】
図６を参照すると、周波数変換器２１０は、貯蔵部２１１及び周波数変換制御部２１２を備える。
【００４８】
貯蔵部２１１は、フレーム情報を貯蔵するためのメモリ素子として偽メモリにも具現されることができる。このような貯蔵部２１１は、周波数変換制御部２１２によってライティングされる現フレームを一時貯蔵する。
【００４９】
周波数変換制御部２１２は、フレーム入力端末（Ｆｒａｍｅ  Ｉｎｐｕｔ  Ｔｅｒｍｉｎａｌ）を通じて現フレームが入力されると、現フレームを貯蔵部２１１に一時貯蔵させた後、貯蔵部２１１のフレームを一定時間の内に２回連続で読み出して、読み出した奇数番目のフレームと偶数番目のフレームをタイミングコントローラ２２０に順次出力させる。このような２倍増加過程を通じて、周波数変換制御部２１２は第１フレーム周波数を第２フレーム周波数に変換させる。
【００５０】
図７は、図５に示すガンマ基準電圧発生部の実施の形態の回路図である。  
【００５１】
図７を参照すると、ガンマ基準電圧発生部２３０は、高電位電源電圧ＶＤＤが印加された高電位電圧源と接地の間に直列に接続された複数の抵抗Ｒ１〜Ｒ５を備える。ここで、抵抗Ｒ１、Ｒ２の間にはノードＮ１が位置され、抵抗Ｒ２、Ｒ３の間にはノードＮ２が位置される。抵抗Ｒ３、Ｒ４の間にはノードＮ３が位置され、抵抗Ｒ４、Ｒ５の間にはノードＮ４が位置される。
【００５２】
ガンマ基準電圧発生部２３０は、ノードＮ１、Ｎ２の間に直列に接続された抵抗Ｒ６〜Ｒ８と、ノードＮ１、Ｎ２の間に直列に接続されると共に、抵抗Ｒ６〜Ｒ８と並列に接続された抵抗Ｒ９〜Ｒ１２とを備える。ここで、抵抗Ｒ６、Ｒ７の間にはノードＮ５が位置され、抵抗Ｒ７、Ｒ８の間にはノードＮ６が位置される。抵抗Ｒ９、Ｒ１０の間にはノードＮ７が位置され、抵抗Ｒ１０、Ｒ１１の間にはノードＮ８が位置される。抵抗Ｒ１１、Ｒ１２の間にはノードＮ９が位置される。
【００５３】
ガンマ基準電圧発生部２３０は、ノードＮ３、Ｎ４の間に直列に接続された抵抗Ｒ１３〜Ｒ１５と、ノードＮ３、Ｎ４の間に直列に接続されると共に、抵抗Ｒ１３〜Ｒ１５と並列に接続された抵抗Ｒ１６〜Ｒ１９とを備える。ここで、抵抗Ｒ１３、Ｒ１４の間にはノードＮ１０が位置され、抵抗Ｒ１４、Ｒ１５の間にはノードＮ１１が位置される。抵抗Ｒ１６、Ｒ１７の間にはノードＮ１２が位置され、抵抗Ｒ１７、Ｒ１８の間にはノードＮ１３が位置される。抵抗Ｒ１８、Ｒ１９の間にはノードＮ１４が位置される。
【００５４】
ガンマ基準電圧発生部２３０は、タイミングコントローラ２２０からのガンマスイング制御信号ＧＷＳのレベルによってスイッチング方向が調節されるスイッチ２３１と、タイミングコントローラ２２０からのガンマスイング制御信号ＧＷＳのレベルを反転させるためのインバータＩＶ１と、インバータＩＶ１によって反転されたガンマスイング制御信号ＧＷＳのレベルによってスイッチング方向が調節されるスイッチ２３２とを備える。
【００５５】
抵抗Ｒ１〜Ｒ５は、高電位電源電圧ＶＤＤと接地電圧とを分圧させて、ノードＮ１〜Ｎ４を通じてそれぞれガンマ基準電圧ＧＭＡ１、ＧＭＡ５、ＧＭＡ６、ＧＭＡ１０を発生する。ノードＮ１を通じて発生されるガンマ基準電圧ＧＭＡ１は高電位電源電圧ＶＤＤが抵抗Ｒ１によって降下されて分圧されたものであり、ノードＮ２を通じて発生されるガンマ基準電圧ＧＭＡ５はノードＮ１にかけられる電圧ＧＭＡ１が抵抗Ｒ２によって降下されて分圧されたものである。ノードＮ３を通じて発生されるガンマ基準電圧ＧＭＡ６はノードＮ２にかけられる電圧ＧＭＡ５が抵抗Ｒ３によって降下されて分圧されたものであり、ノードＮ４を通じて発生されるガンマ基準電圧ＧＭＡ１０はノードＮ３にかけられる電圧ＧＭＡ６が抵抗Ｒ４によって降下されて分圧されたものである。
【００５６】
ここで、ガンマ基準電圧ＧＭＡ１、ＧＭＡ５、ＧＭＡ６、ＧＭＡ１０は順次降下されて分圧されたものであり、最も高いレベルのガンマ基準電圧ＧＭＡ１から最も低いレベルのガンマ基準電圧ＧＭＡ１０の順にレベルが低くなる。従って、ガンマ基準電圧ＧＭＡ５、ＧＭＡ６が中間階調レベルのガンマ基準電圧となり、ガンマ基準電圧ＧＭＡ５より高いレベルのガンマ基準電圧ＧＭＡ１〜ガンマ基準電圧ＧＭＡ４が高階調レベルに該当されると共に、ガンマ基準電圧ＧＭＡ６より低いレベルのガンマ基準電圧ＧＭＡ７〜ＧＭＡ１０が低階調レベルに該当される。但し、例外的にガンマ基準電圧ＧＭＡ３は他のガンマ基準電圧よりレベルが高く、あるいは低く設定されることができる。
【００５７】
抵抗Ｒ６〜Ｒ８は、ガンマ基準電圧ＧＭＡ１、ＧＭＡ５を分圧させて、ノードＮ５〜Ｎ６を通じてガンマ基準電圧ＧＭＡ３−１、ＧＭＡ３−２を発生する。ノードＮ５を通じて発生されるガンマ基準電圧ＧＭＡ３−１はガンマ基準電圧ＧＭＡ１が抵抗Ｒ６によって降下されて分圧されたものであり、ノードＮ６を通じて発生されるガンマ基準電圧ＧＭＡ３−２はノードＮ５にかけられる電圧ＧＭＡ３−１が抵抗Ｒ７によって降下されて分圧されたものであるため、ガンマ基準電圧ＧＭＡ３−１のレベルがガンマ基準電圧ＧＭＡ３−２のレベルより高い。
【００５８】
抵抗Ｒ９〜Ｒ１２は、ガンマ基準電圧ＧＭＡ１、ＧＭＡ５を分圧させて、ノードＮ７〜Ｎ９を通じてガンマ基準電圧ＧＭＡ２、ＧＭＡ３、ＧＭＡ４を発生する。ノードＮ７を通じて発生されるガンマ基準電圧ＧＭＡ２はガンマ基準電圧ＧＭＡ１が抵抗Ｒ９によって降下されて分圧されたものであり、ノードＮ９を通じて発生されるガンマ基準電圧ＧＭＡ４はノードＮ８にかけられる電圧ＧＭＡ３が抵抗Ｒ１１によって降下されて分圧されたものである。そして、ノードＮ８を通じて発生されるガンマ基準電圧ＧＭＡ３はスイッチ２３１を通じて択一的に出力されるガンマ基準電圧ＧＭＡ３−１あるいはガンマ基準電圧ＧＭＡ３−２と抵抗Ｒ７によって降下されて分圧された電圧が合算されたものである。従って、ガンマ基準電圧ＧＭＡ３のレベルはスイッチ２３１を通じてスイッチングされるガンマ基準電圧ＧＭＡ３−１あるいはガンマ基準電圧ＧＭＡ３−２によってスイングされる。特に、ガンマ基準電圧ＧＭＡ３のレベルはスイッチ２３１を通じてガンマ基準電圧ＧＭＡ３−１がスイッチングされる場合よりガンマ基準電圧ＧＭＡ３−２がスイッチングされる場合に相対的に低くなる。反面、ガンマ基準電圧ＧＭＡ３のレベルはスイッチ２３１を通じてガンマ基準電圧ＧＭＡ３−２がスイッチングされる場合よりガンマ基準電圧ＧＭＡ３−１がスイッチングされる場合に相対的に高くなる。
【００５９】
抵抗Ｒ１３〜Ｒ１５は、ガンマ基準電圧ＧＭＡ６、ＧＭＡ１０を分圧させて、ノードＮ１０〜Ｎ１１を通じてガンマ基準電圧ＧＭＡ８−１、ＧＭＡ８−２を発生する。ノードＮ１０を通じて発生されるガンマ基準電圧ＧＭＡ８−１はガンマ基準電圧ＧＭＡ６が抵抗Ｒ１３によって降下されて分圧されたものであり、ノードＮ１１を通じて発生されるガンマ基準電圧ＧＭＡ８−２はノードＮ１０にかけられる電圧ＧＭＡ８−１が抵抗Ｒ１４によって降下されて分圧されたものであるため、ガンマ基準電圧ＧＭＡ８−１のレベルがガンマ基準電圧ＧＭＡ８−２のレベルより高い。
【００６０】
抵抗Ｒ１６〜Ｒ１９は、ガンマ基準電圧ＧＭＡ６、ＧＭＡ１０を分圧させて、ノードＮ１２〜Ｎ１４を通じてガンマ基準電圧ＧＭＡ７、ＧＭＡ８、ＧＭＡ９を発生する。ノードＮ１２を通じて発生されるガンマ基準電圧ＧＭＡ７はガンマ基準電圧ＧＭＡ６が抵抗Ｒ１６によって降下されて分圧されたものであり、ノードＮ１４を通じて発生されるガンマ基準電圧ＧＭＡ９はノードＮ１３にかけられる電圧ＧＭＡ８が抵抗Ｒ１３によって降下されて分圧されたものである。そして、ノードＮ１３を通じて発生されるガンマ基準電圧ＧＭＡ８はスイッチ２３２を通じて択一的に出力されるガンマ基準電圧ＧＭＡ８−１あるいはガンマ基準電圧ＧＭＡ８−２と抵抗Ｒ１７によって降下されて分圧された電圧が合算されたものである。従って、ガンマ基準電圧ＧＭＡ８のレベルはスイッチ２３２を通じてスイッチングされるガンマ基準電圧ＧＭＡ８−１あるいはガンマ基準電圧ＧＭＡ８−２によってスイングされる。特に、ガンマ基準電圧ＧＭＡ８のレベルはスイッチ２３２を通じてガンマ基準電圧ＧＭＡ８−１がスイッチングされる場合よりガンマ基準電圧ＧＭＡ８−２がスイッチングされる場合に相対的に低くなる。反面、ガンマ基準電圧ＧＭＡ８のレベルはスイッチ２３２を通じてガンマ基準電圧ＧＭＡ８−２がスイッチングされる場合よりガンマ基準電圧ＧＭＡ８−１がスイッチングされる場合に相対的に高くなる。
【００６１】
スイッチ２３１は、タイミングコントローラ２２０からローレベルのガンマスイング制御信号ＧＷＳが供給されると、ノードＮ６の方向にスイッチングされてガンマ基準電圧ＧＭＡ３−２をスイッチングさせる。反面、スイッチ２３１は、タイミングコントローラ２２０からハイレベルのガンマスイング制御信号ＧＷＳが供給されると、ノードＮ５の方向にスイッチングされてガンマ基準電圧ＧＭＡ３−１をスイッチングさせる。
【００６２】
インバータＩＶ１は、タイミングコントローラ２２０から出力されたローレベルのガンマスイング制御信号ＧＷＳを反転させて、ハイレベルのガンマスイング制御信号ＧＷＳをスイッチ２３２に供給するか、またはタイミングコントローラ２２０から出力されたハイレベルのガンマスイング制御信号ＧＷＳを反転させて、ローレベルのガンマスイング制御信号ＧＷＳをスイッチ２３２に供給する。
【００６３】
スイッチ２３２は、インバータＩＶ１によって反転されたハイレベルのガンマスイング制御信号ＧＷＳが供給されるとノードＮ１０の方向にスイッチングされてガンマ基準電圧ＧＭＡ８−１をスイッチングさせる。反面、スイッチ２３２は、インバータＩＶ１によって反転されたローレベルのガンマスイング制御信号ＧＷＳが供給されるとノードＮ１１の方向にスイッチングされてガンマ基準電圧ＧＭＡ８−２をスイッチングさせる。
【００６４】
このような構成及び機能を有するガンマ基準電圧発生部を備える本発明の実施の形態に係る液晶表示装置がガンマ基準電圧をスイングさせる方法を、図８を参照して説明する。
【００６５】
図８は、本発明の実施の形態に係る液晶表示装置がガンマ基準電圧の供給方法に対するフロー図である。
【００６６】
図８を参照すると、まず、システムからフレームが入力される（Ｓ１０１）と、周波数変換器２１０は入力されたフレームのフレーム周波数を２倍増加させて、奇数番目のフレームと偶数番目のフレームとをタイミングコントローラ２２０に順次出力する（Ｓ１０２）。
【００６７】
フレーム周波数が２倍増加されると、タイミングコントローラ２２０は奇数番目のフレームの駆動期間にローレベルのガンマスイング制御信号ＧＷＳをガンマ基準電圧発生部２３０のスイッチ２３１とインバータＩＶ１に供給する（Ｓ１０３）。この際、インバータＩＶ１は、ローレベルのガンマスイング制御信号ＧＷＳを反転させて、ハイレベルのガンマスイング制御信号ＧＷＳをスイッチ２３２に供給する（Ｓ１０４）。
【００６８】
奇数番目のフレームの駆動期間に、スイッチ２３１はローレベルのガンマスイング制御信号ＧＷＳによってノードＮ６の方向にスイッチングされ、図９に示すように、相対的に低いレベルのガンマ基準電圧ＧＭＡ３をデータ駆動部２４０に供給させる。これと同時に、スイッチ２３１はハイレベルのガンマスイング制御信号ＧＷＳによってノードＮ１０の方向にスイッチングされ、図９に示すように、相対的に高いレベルのガンマ基準電圧ＧＭＡ８をデータ駆動部２４０に供給させる（Ｓ１０５）。
【００６９】
奇数番目のフレームの駆動期間が経過すると、タイミングコントローラ２２０は偶数番目のフレームの駆動期間にハイレベルのガンマスイング制御信号ＧＷＳをガンマ基準電圧発生部２３０のスイッチ２３１とインバータＩＶ１に供給する（Ｓ１０６）。この際、インバータＩＶ１は、ハイレベルのガンマスイング制御信号ＧＷＳを反転させて、ローレベルのガンマスイング制御信号ＧＷＳをスイッチ２３２に供給する（Ｓ１０７）。
【００７０】
偶数番目のフレームの駆動期間に、スイッチ２３１はハイレベルのガンマスイング制御信号ＧＷＳによってノードＮ５の方向にスイッチングされ、図９に示すように、相対的に高いレベルのガンマ基準電圧ＧＭＡ３をデータ駆動部２４０に供給させる。これと同時に、スイッチ２３２はローレベルのガンマスイング制御信号ＧＷＳによってノードＮ１１の方向にスイッチングされ、図９に示すように、相対的に低いレベルのガンマ基準電圧ＧＭＡ８をデータ駆動部２４０に供給させる（Ｓ１０８）。
【００７１】
ここで、最も高いレベルのガンマ基準電圧ＧＭＡ１と中間階調レベルのガンマ基準電圧ＧＭＡ５との間のレベルを有するガンマ基準電圧ＧＭＡ３は高階調レベルに該当する。反面、最も低いレベルのガンマ基準電圧ＧＭＡ１０と中間階調レベルのガンマ基準電圧ＧＭＡ６との間のレベルを有するガンマ基準電圧ＧＭＡ８は低階調レベルに該当する。
【００７２】
即ち、本発明の実施の形態に係る液晶表示装置は、奇数番目のフレームの駆動期間の間、高階調に属するガンマ基準電圧のレベルを相対的に低くスイングさせると共に、低階調に属するガンマ基準電圧のレベルを相対的に高くスイングさせる。反面、偶数番目のフレームの駆動期間の間、高階調に属するガンマ基準電圧のレベルを相対的に高くスイングさせると共に、低階調に属するガンマ基準電圧のレベルを相対的に低くスイングさせることを技術的思想とする。
【００７３】
このような本発明の技術的思想の理解のため、例示的に添付された図７及び図８には、奇数番目のフレームの駆動期間の間、高階調に属するガンマ基準電圧ＧＭＡ３のレベルを相対的に低くスイングさせると共に、低階調に属するガンマ基準電圧ＧＭＡ８のレベルを相対的に高くスイングさせる。反面、偶数番目のフレームの駆動期間の間、高階調に属するガンマ基準電圧ＧＭＡ３のレベルを相対的に高くスイングさせると共に、低階調に属するガンマ基準電圧ＧＭＡ８のレベルを相対的に低くスイングさせている。
【００７４】
更に具体的に説明すると、図１０に示すように、本発明の実施の形態に係る液晶表示装置は、奇数番目のフレームの駆動期間の間、高階調に属するガンマ基準電圧ＧＭＡ２〜ＧＭＡ（ｉ/２−１）のレベルを相対的に低くスイングさせると共に、低階調に属するガンマ基準電圧ＧＭＡ（ｉ/２−１）〜ＧＭＡ（ｉ−１）のレベルを相対的に高くスイングさせる。反面、偶数番目のフレームの駆動期間の間、高階調に属するガンマ基準電圧ＧＭＡ２〜ＧＭＡ（ｉ/２−１）のレベルを相対的に高くスイングさせると共に、低階調に属するガンマ基準電圧ＧＭＡ（ｉ/２−１）〜ＧＭＡ（ｉ−１）のレベルを相対的に低くスイングさせる。これに従って、２倍増加されたフレーム周波数に駆動される液晶表示装置の動画像の応答速度を向上させて、これによってフレーム周波数の２倍増加駆動時に発生されるフリッカーを除去する。
【００７５】
但し、本発明の実施の形態に係る液晶表示装置は、最も高いレベルのガンマ基準電圧ＧＭＡ１、最も低いレベルのガンマ基準電圧ＧＭＡｉ及び中間階調レベルのガンマ基準電圧ＧＭＡ（ｉ/２）、ＧＭＡ（ｉ/２＋１）をスイングさせない。
【００７６】
図１０に示すように、本発明の実施の形態に係る液晶表示装置がガンマ基準電圧をスイングさせる場合、奇数番目のフレームと偶数番目のフレームとの駆動期間の間に具現される階調変換の特性を説明すると図１１に示すようである。
【００７７】
図１１において、ノーマリブラックモードは、液晶表示パネル１１０の各ピクセルに電圧を供給しないノーマリ状態で画面がブラックに示される動作モードであり、ノーマリホワイトモードは、液晶表示パネル１１０の各ピクセルに電圧を供給しないノーマリ状態で画面がホワイトに示される動作モードである。
【００７８】
従って、ノーマリブラックモードである場合、高階調でガンマ基準電圧のレベルが高くなるほど具現される階調レベルが高くなる反面、低階調でガンマ基準電圧のレベルが低くなるほど具現される階調レベルが低くなる。反面、ノーマリホワイトモードである場合、高階調でガンマ基準電圧のレベルが高くなるほど具現される階調レベルが低くなる反面、低階調でガンマ基準電圧のレベルが低くなるほど具現される階調レベルが高くなる。
【００７９】
図１２は、図５に示すガンマ基準電圧発生部の他の実施の形態の回路図である。
【００８０】
図１２を参照すると、本発明の他の実施の形態に係る液晶表示装置に備えられたガンマ基準電圧発生部２３０は、図７と同様に、複数の抵抗Ｒ１〜Ｒ１９とスイッチ２３１、２３２を備えると共に、ガンマ基準電圧が発生されるノードＮ１〜Ｎ１４が配置されるが、インバータＩＶ１は備えない。
【００８１】
従って、タイミングコントローラ２２０から供給されたローレベルのガンマスイング制御信号ＧＷＳやハイレベルのガンマスイング制御信号ＧＷＳがスイッチ２３１、２３２に同時に印加される。
【００８２】
このような構成及び機能を有するガンマ基準電圧発生部を備える本発明の他の実施の形態に係る液晶表示装置がガンマ基準電圧をスイングさせる方法を、図１３を参照して説明する。
【００８３】
図１３は、本発明の他の実施の形態に係る液晶表示装置がガンマ基準電圧の供給方法に対するフロー図である。
【００８４】
図１３を参照すると、まず、システムからフレームが入力される（Ｓ２０１）と、周波数変換器２１０は入力されたフレームのフレーム周波数を２倍増加させて、奇数番目のフレームと偶数番目のフレームとをタイミングコントローラ２２０に順次出力する（Ｓ２０２）。この際、タイミングコントローラ２２０は、奇数番目のフレームの駆動期間にローレベルのガンマスイング制御信号ＧＷＳをガンマ基準電圧発生部２３０のスイッチ２３１、２３２に供給する（Ｓ２０３）。
【００８５】
奇数番目のフレームの駆動期間に、スイッチ２３１はローレベルのガンマスイング制御信号ＧＷＳによってノードＮ６の方向にスイッチングされ、図１４に示すように、相対的に低いレベルのガンマ基準電圧ＧＭＡ３をデータ駆動部２４０に供給させる。これと同時に、スイッチ２３２はローレベルのガンマスイング制御信号ＧＷＳによってノードＮ１１の方向にスイッチングされ、図１４に示すように、相対的に低いレベルのガンマ基準電圧ＧＭＡ８をデータ駆動部２４０に供給させる（Ｓ２０４）。
【００８６】
奇数番目のフレームの駆動期間が経過すると、タイミングコントローラ２２０は偶数番目のフレームの駆動期間にハイレベルのガンマスイング制御信号ＧＷＳをガンマ基準電圧発生部２３０のスイッチ２３１、２３２に供給する（Ｓ２０５）。
【００８７】
偶数番目のフレームの駆動期間に、スイッチ２３１はハイレベルのガンマスイング制御信号ＧＷＳによってノードＮ５の方向にスイッチングされ、図１４に示すように、相対的に高いレベルのガンマ基準電圧ＧＭＡ３をデータ駆動部２４０に供給させる。これと同時に、スイッチ２３２はローレベルのガンマスイング制御信号ＧＷＳによってノードＮ１０の方向にスイッチングされ、図１４に示すように、相対的に高いレベルのガンマ基準電圧ＧＭＡ８をデータ駆動部２４０に供給させる（Ｓ２０６）。
【００８８】
ここで、最も高いレベルのガンマ基準電圧ＧＭＡ１と中間階調レベルのガンマ基準電圧ＧＭＡ５との間のレベルを有するガンマ基準電圧ＧＭＡ３は高階調レベルに該当する。反面、最も低いレベルのガンマ基準電圧ＧＭＡ１０と中間階調レベルのガンマ基準電圧ＧＭＡ６との間のレベルを有するガンマ基準電圧ＧＭＡ８は低階調レベルに該当する。
【００８９】
即ち、本発明の他の実施の形態に係る液晶表示装置は、奇数番目のフレームの駆動期間の間、高階調と低階調に属するガンマ基準電圧のレベルを相対的に低くスイングさせる反面、偶数番目のフレームの駆動期間の間、高階調と低階調に属するガンマ基準電圧のレベルを相対的に高くスイングさせることを技術的思想とする。
【００９０】
このような本発明の技術的思想の理解のため、例示的に添付された図１２及び図１４において、本発明の液晶表示装置は、奇数番目のフレームの駆動期間の間、高階調に属するガンマ基準電圧ＧＭＡ３のレベルを相対的に低くスイングさせると共に、低階調に属するガンマ基準電圧ＧＭＡ８のレベルを相対的に低くスイングさせる。反面、本発明の液晶表示装置は、偶数番目のフレームの駆動期間の間、高階調に属するガンマ基準電圧ＧＭＡ３のレベルを相対的に高くスイングさせると共に、低階調に属するガンマ基準電圧ＧＭＡ８のレベルを相対的に高くスイングさせている。
【００９１】
更に具体的に説明すると、図１５に示すように、本発明の他の実施の形態に係る液晶表示装置は、奇数番目のフレームの駆動期間の間、高階調に属するガンマ基準電圧ＧＭＡ２〜ＧＭＡ（ｉ/２−１）のレベルを相対的に低くスイングさせると共に、低階調に属するガンマ基準電圧ＧＭＡ（ｉ/２−１）〜ＧＭＡ（ｉ−１）のレベルを相対的に低くスイングさせる。反面、本発明の液晶表示装置は、偶数番目のフレームの駆動期間の間、高階調に属するガンマ基準電圧ＧＭＡ２〜ＧＭＡ（ｉ/２−１）のレベルを相対的に高くスイングさせると共に、低階調に属するガンマ基準電圧ＧＭＡ（ｉ/２−１）〜ＧＭＡ（ｉ−１）のレベルを相対的に高くスイングさせる。これに従って、２倍増加されたフレーム周波数に駆動される液晶表示装置の動画像の応答速度を向上させて、これによってフレーム周波数の２倍増加駆動時に発生されるフリッカーを除去する。
【００９２】
但し、本発明の他の実施の形態に係る液晶表示装置は、最も高いレベルのガンマ基準電圧ＧＭＡ１、最も低いレベルのガンマ基準電圧ＧＭＡｉ及び中間階調レベルのガンマ基準電圧ＧＭＡ（ｉ/２）、ＧＭＡ（ｉ/２＋１）をスイングさせない。
【００９３】
図１５に示すように、本発明の他の実施の形態に係る液晶表示装置がガンマ基準電圧をスイングさせる場合、奇数番目のフレームと偶数番目のフレームとの駆動期間の間に具現される階調変換の特性を説明すると図１６に示すようになる。
【００９４】
図１６において、ノーマリブラックモードの場合、高階調でガンマ基準電圧のレベルが高くなるほど、具現される階調レベルが高くなる反面、低階調でガンマ基準電圧のレベルが低くなるほど、具現される階調レベルが低くなる。反面、ノーマリホワイトモードの場合、高階調でガンマ基準電圧のレベルが高くなるほど、具現される階調レベルが低くなる反面、低階調でガンマ基準電圧のレベルが低くなるほど、具現される階調レベルが高くなる。
【００９５】
一方、本発明においては、タイミングコントローラ２２０が奇数番目のフレームの駆動期間の間、ローレベルのガンマスイング制御信号ＧＷＳを発生すると共に、偶数番目のフレームの駆動期間の間、ハイレベルのガンマスイング制御信号ＧＷＳを発生するように開示しているが、これに限定されない。
【００９６】
他の例として、タイミングコントローラ２２０が奇数番目のフレームの駆動期間の間、ハイレベルのガンマスイング制御信号ＧＷＳを発生すると共に、偶数番目のフレームの駆動期間の間、ローレベルのガンマスイング制御信号ＧＷＳを発生するように本発明を開示することもできる。この場合、ガンマ基準電圧発生部２３０のガンマスイング動作も前述の内容とは反対に成される。
【００９７】
以上、説明した通り、本発明は、２倍増加されたフレーム周波数に駆動されるフレームの階調レベルの決定に用いられるガンマ基準電圧のスイングを自動にリアルタイムで調節することによって、２倍増加されたフレーム周波数に駆動される液晶表示装置の動画像応答速度を増大させ、これによって、フレーム周波数の２倍増加駆動の際に発生されるフリッカーを除去することができる。
【００９８】
本発明の技術思想は、前記望ましい実施の形態によって具体的に記述されたが、前記実施の形態は、その説明のためのものであり、その制限のためのものでないということを注意せねばならない。また、当業者ならば、本発明の技術思想の範囲で多様な実施の形態が可能であるということを理解できるであろう。
【図面の簡単な説明】
【００９９】
【図１】一般的な液晶表示装置に形成されるピクセルの等価回路図である。
【図２】従来の液晶表示装置の構成図である。
【図３】従来の液晶表示装置から発生されるガンマ基準電圧の特性図である。
【図４】２倍増加されたフレーム周波数に駆動される従来の液晶表示装置の階調変換特性図である。
【図５】本発明の実施の形態に係る液晶表示装置の構成図である。
【図６】図５に示す周波数変換器の構成図である。
【図７】図５に示すガンマ基準電圧発生部の実施の形態の回路図である。
【図８】図７に示すガンマ基準電圧発生部を備える本発明の実施の形態に係る液晶表示装置の駆動方法に対するフロー図である。
【図９】図７に示すガンマ基準電圧発生部から出力されるガンマ基準電圧の特性図である。
【図１０】本発明の実施の形態に係る液晶表示装置のガンマスイング特性図である。
【図１１】本発明の実施の形態に係る液晶表示装置の階調変換特性図である。
【図１２】図５に示すガンマ基準電圧発生部の他の実施の形態の回路図である。
【図１３】図１２に示すガンマ基準電圧発生部を備える本発明の実施の形態に係る液晶表示装置の駆動方法に対するフロー図である。
【図１４】図１２に示すガンマ基準電圧発生部から出力されるガンマ基準電圧の特性図である。
【図１５】本発明の他の実施の形態に係る液晶表示装置のガンマスイング特性図である。
【図１６】本発明の他の実施の形態に係る液晶表示装置の階調変換特性図である。
【符号の説明】
【０１００】
１００、２００：液晶表示装置          
１１０：液晶表示パネル
１２０、２４０：データ駆動部          
１３０、２５０：ゲート駆動部
１４０、２３０：ガンマ基準電圧発生部  
１５０：バックライトアセンブリ
１６０：インバータ                    
１７０：共通電圧発生部
１８０：ゲート駆動電圧発生部          
１９０、２２０：タイミングコントローラ
２１０：周波数変換器
【図１】
0005576014.tif 000002
【図２】
0005576014.tif 000003
【図３】
0005576014.tif 000004
【図４】
0005576014.tif 000005
【図５】
0005576014.tif 000006
【図６】
0005576014.tif 000007
【図７】
0005576014.tif 000008
【図８】
0005576014.tif 000009
【図９】
0005576014.tif 000010
【図１０】
0005576014.tif 000011
【図１１】
0005576014.tif 000012
【図１２】
0005576014.tif 000013
【図１３】
0005576014.tif 000014
【図１４】
0005576014.tif 000015
【図１５】
0005576014.tif 000016
【図１６】
0005576014.tif 000017